(57)【要約】【課題】携帯電話機用ストラップに付加価値を持たせ、利便性を向上させる。【解決手段】携帯電話機用ストラップ１は、ＲＦタグ１５、半導体メモリ１６、センサ１７および電池１９などを有する機能ユニット４を備え、携帯電話機９と機能ユニット４との間でデータ線６や電力線７を通じてデータや電力を伝送可能に構成されている。単に携帯電話機９を保持するという機能に加えて、携帯電話機９と機能ユニット４との間でデータや電力を伝送するという機能を付加価値として持たせることにより、携帯電話機９と機能ユニット４との間で所望のデータや所望の電力を伝送させることができる。【選択図】  図１
2004248733.tif 000002
【特許請求の範囲】
【請求項１】
携帯端末を保持すると共に前記携帯端末に対して着脱可能に構成された携帯端末用保持具であって、
携帯端末の外部接続端子に接続可能な接続手段と、
機能ユニットと、
前記接続手段に接続されている携帯端末と前記機能ユニットとの間でデータを伝送するためのデータ伝送手段とを備えたことを特徴とする携帯端末用保持具。
【請求項２】
請求項１に記載した携帯端末用保持具において、
前記データ伝送手段が銅線により構成されていることを特徴とする携帯端末用保持具。
【請求項３】
請求項１に記載した携帯端末用保持具において、
前記データ伝送手段が光ファイバーにより構成されていることを特徴とする携帯端末用保持具。
【請求項４】
請求項１ないし３のいずれかに記載した携帯端末用保持具において、
前記機能ユニットがＲＦタグを備えて構成され、前記接続手段に接続されている携帯端末から前記データ伝送手段を通じて伝送されたデータが前記ＲＦタグに書込可能であると共に、前記ＲＦタグから読出されたデータが前記データ伝送手段を通じて前記接続手段に接続されている携帯端末に伝送可能に構成されていることを特徴とする携帯端末用保持具。
【請求項５】
請求項４に記載した携帯端末用保持具において、
携帯端末をリサイクルするのに必要なリサイクルデータが前記ＲＦタグに書込可能に構成されていることを特徴とする携帯端末用保持具。
【請求項６】
請求項４または５に記載した携帯端末用保持具において、
前記ＲＦタグの外部アンテナとして作用するアンテナが前記機能ユニットから引出された格好で配設されていることを特徴とする携帯端末用保持具。
【請求項７】
請求項１ないし６のいずれかに記載した携帯端末用保持具において、
前記機能ユニットがデータ記憶手段を備えて構成され、前記接続手段に接続されている携帯端末から前記データ伝送手段を通じて伝送されたデータが前記データ記憶手段に書込可能であると共に、前記データ記憶手段から読出されたデータが前記データ伝送手段を通じて前記接続手段に接続されている携帯端末に伝送可能に構成されていることを特徴とする携帯端末用保持具。
【請求項８】
請求項１ないし７のいずれかに記載した携帯端末用保持具において、
前記機能ユニットがセンサを備えて構成され、前記センサにより計測されたデータが前記データ伝送手段を通じて前記接続手段に接続されている携帯端末に伝送可能に構成されていることを特徴とする携帯端末用保持具。
【請求項９】
携帯端末を保持すると共に前記携帯端末に対して着脱可能に構成された携帯端末用保持具であって、
携帯端末の外部接続端子に接続可能な接続手段と、
機能ユニットと、
前記接続手段に接続されている携帯端末と前記機能ユニットとの間で電力を伝送するための電力伝送手段とを備えたことを特徴とする携帯端末用保持具。
【請求項１０】
請求項９に記載した携帯端末用保持具において、
前記機能ユニットが電池を備えて構成され、前記電池に蓄積されている電力が前記電力伝送手段を通じて前記接続手段に接続されている携帯端末に伝送可能に構成されていることを特徴とする携帯端末用保持具。
【請求項１１】
請求項１０に記載した携帯端末用保持具において、
前記機能ユニットがＲＦタグを備えて構成され、前記ＲＦタグが前記電池から供給された電力を駆動電力として動作するように構成されていることを特徴とする携帯端末用保持具。
【請求項１２】
請求項９ないし１１のいずれかに記載した携帯端末用保持具において、
商用電源に対して着脱可能な商用電源コンセントを備え、前記機能ユニットが整流回路を備えて構成され、商用電源から前記商用電源コンセントを通じて供給された電力が前記整流回路で整流されて前記電力伝送手段を通じて前記接続手段に接続されている携帯端末に伝送可能に構成されていることを特徴とする携帯端末用保持具。
【請求項１３】
請求項１ないし８のいずれかに記載した携帯端末用保持具と、
前記携帯端末用保持具に保持されると共に前記携帯端末用保持具が着脱可能に構成された携帯端末とを備え、
前記携帯端末用保持具と前記携帯端末との間でデータを伝送可能に構成されていることを特徴とする携帯端末用保持具を用いたデータ伝送システム。
【請求項１４】
請求項１３に記載した携帯端末用保持具を用いたデータ伝送システムにおいて、
前記携帯端末が携帯電話機であることを特徴とする携帯端末用保持具を用いたデータ伝送システム。
【請求項１５】
請求項９ないし１２のいずれかに記載した携帯端末用保持具と、
前記携帯端末用保持具に保持されると共に前記携帯端末用保持具が着脱可能に構成された携帯端末とを備え、
前記携帯端末用保持具と前記携帯端末との間で電力を伝送可能に構成されていることを特徴とする携帯端末用保持具を用いた電力伝送システム。
【請求項１６】
請求項１５に記載した携帯端末用保持具を用いた電力伝送システムにおいて、
前記携帯端末が携帯電話機であることを特徴とする携帯端末用保持具を用いた電力伝送システム。
【発明の詳細な説明】
【０００１】
【発明の属する技術分野】
本発明は、携帯端末を保持すると共に前記携帯端末に対して着脱可能に構成された携帯端末用保持具、前記携帯端末用保持具と携帯端末との間でデータを伝送するデータ伝送システム、前記携帯端末用保持具と携帯端末との間で電力を伝送する電力伝送システムに関する。
【０００２】
【従来の技術】
従来より、例えば携帯電話機などの携帯端末を携帯するときの利便性を高める道具の一つとして、携帯端末を人体の手や首などに掛けて持ち易くするための携帯端末用ストラップが供されている（例えば特許文献１参照）。
【０００３】
【特許文献１】
特開２００２−３６０３３１号公報
【０００４】
【発明が解決しようとする課題】
ところで、この種の携帯端末用ストラップは、単に携帯端末を携帯するときの利便性を高めるものであり、それ以上の付加価値を備えているものではない。
【０００５】
本発明は、上記した事情に鑑みてなされたものであり、その目的は、付加価値を持たせることにより、利便性を向上させることができる携帯端末用保持具を提供することにある。
【０００６】
【課題を解決するための手段】
請求項１に記載した携帯端末用保持具によれば、接続手段が携帯端末の外部接続端子に接続されている状態で、その接続手段に接続されている携帯端末と機能ユニットとの間でデータ伝送手段を通じてデータを伝送可能に構成したので、従来のものとは異なって、単に携帯端末を保持するという機能に加えて、携帯端末と機能ユニットとの間でデータを伝送するという機能を付加価値として持たせることにより、携帯端末と機能ユニットとの間で所望のデータを伝送させることができ、利便性を向上させることができる。
【０００７】
請求項２に記載した携帯端末用保持具によれば、データ伝送手段を銅線により構成したので、単に携帯端末と機能ユニットとの間でデータ伝送手段を通じてデータを伝送させるのみならず、必要に応じて、携帯端末と機能ユニットとの間でデータ伝送手段を通じて電力をも伝送させることができる。
【０００８】
請求項３に記載した携帯端末用保持具によれば、データ伝送手段を光ファイバーにより構成したので、光ファイバーの特長を活かして、携帯端末と機能ユニットとの間でデータ伝送手段を通じてデータを高速且つ正確に（エラーの発生を抑えて）伝送させることができる。
【０００９】
請求項４に記載した携帯端末用保持具によれば、機能ユニットにＲＦタグを備え、接続手段に接続されている携帯端末からデータ伝送手段を通じて伝送されたデータがＲＦタグに書込可能であると共に、ＲＦタグから読出されたデータがデータ伝送手段を通じて接続手段に接続されている携帯端末に伝送可能に構成したので、携帯端末に記憶されている所望のデータを携帯端末用保持具のＲＦタグに転送させて記憶させることができると共に、携帯端末用保持具のＲＦタグに記憶されている所望のデータを携帯端末に転送させて記憶させることができる。
【００１０】
この機能を利用したアプリケーションの一例としては、例えば電車やバスなどの公共交通機関のＷＥＢサイトから乗物の乗車券に相当する乗車券データを携帯端末にダウンロードし、そのダウンロードされた乗車券データを携帯端末用保持具のＲＦタグに転送させて記憶させておき、実際に乗物に乗車するときに、携帯端末用保持具のＲＦタグに記憶されている乗車券データを改札口の専用の読取装置に読取らせることにより、携帯端末用保持具を用いて速やかに乗車手続きを行うことができる。
【００１１】
また、この場合、ＲＦタグを携帯端末に内蔵するのではなく、ＲＦタグを携帯端末とは別体の機能ユニットに備えて構成したので、ＲＦタグを携帯端末に内蔵するものとは異なって、携帯端末の筐体が金属製であっても、その筐体が金属製であることに因る通信への悪影響を極力抑えることができる。しかも、ＲＦタグを携帯端末に実装する必要もないので、携帯端末においてＲＦタグの実装スペースを省略することができ、携帯端末の小型化および軽量化をも図ることができる。
【００１２】
請求項５に記載した携帯端末用保持具によれば、携帯端末をリサイクルするのに必要なリサイクルデータ（例えば型式、製造番号および稼動期間など）をＲＦタグに書込可能に構成したので、携帯端末が廃棄されて当該携帯端末の内蔵メモリからリサイクルデータを読出不可能になったとしても、ＲＦタグに書込まれているリサイクルデータを読出すことにより、携帯端末のリサイクルデータを確実に取得することができ、その取得されたリサイクルデータに基づいて携帯端末を適切な手順でリサイクルすることができる。
【００１３】
請求項６に記載した携帯端末用保持具によれば、ＲＦタグの外部アンテナとして作用するアンテナを機能ユニットから引出された格好で配設したので、ＲＦタグが通信可能な距離を拡大することができ、利便性をより向上させることができる。
【００１４】
請求項７に記載した携帯端末用保持具によれば、機能ユニットにデータ記憶手段を備え、接続手段に接続されている携帯端末からデータ伝送手段を通じて伝送されたデータがデータ記憶手段に書込可能であると共に、データ記憶手段から読出されたデータがデータ伝送手段を通じて接続手段に接続されている携帯端末に伝送可能に構成したので、携帯端末に記憶されている所望のデータを携帯端末用保持具のデータ記憶手段に転送させて記憶させることができると共に、携帯端末用保持具のデータ記憶手段に記憶されている所望のデータを携帯端末に転送させて記憶させることができる。
【００１５】
この機能を利用したアプリケーションの一例しては、例えば広告主が宣伝したい所望の広告データ（文字データ、画像データあるいは音声データなど）をデータ記憶手段に書込んでおき、その広告データが書込まれたデータ記憶手段が内蔵された携帯端末用保持具を無償または有償で配布し、携帯端末用保持具が携帯端末に装着されたときに、携帯端末用保持具のデータ記憶手段に記憶されている広告データが携帯端末に転送されて出力されることにより、所望の広告活動を実施することができる。また、携帯端末がインターネットに接続可能な構成であれば、インターネット上のＷＥＢサイトのアドレスを示すＵＲＬをデータ記憶手段に書込んでおき、そのＷＥＢサイトに携帯端末がアクセスすることによっても、所望の広告活動を実施することができる。
【００１６】
また、例えばＷＥＢサイトからデータを携帯端末にダウンロードした後に、そのダウンロードされたデータを携帯端末とは別体である携帯端末用保持具に記憶させておくことができる。また、携帯端末用保持具を複数の携帯端末の間で付替えることにより、それら複数の携帯端末の間で携帯端末用保持具を通じてデータを転送することでき、データを共有することもできる。尚、この場合、データ記憶手段に記憶可能なデータは、例えば携帯端末が表示する文字の文字データ、携帯端末が表示する画像（静止画や動画）の画像データ、携帯端末が出力する音楽の音楽データ、携帯端末のＣＰＵが実行する制御プログラムやアプリケーションプログラムのプログラムデータなどである。
【００１７】
請求項８に記載した携帯端末用保持具によれば、機能ユニットにセンサを備え、センサにより計測されたデータがデータ伝送手段を通じて接続手段に接続されている携帯端末に伝送可能に構成したので、携帯端末用保持具のセンサにより計測されたデータを携帯端末に転送させて記憶させたり、出力させたりすることができる。尚、この場合、センサは、例えば脈拍を計測する脈拍センサ、体温を計測する体温センサ、ＧＰＳ電波を受信して現在位置を取得するＧＰＳセンサ、高度を計測する高度センサ、温度を計測する温度センサ、湿度を計測する湿度センサなどである。
【００１８】
請求項９に記載した携帯端末用保持具によれば、接続手段が携帯端末の外部接続端子に接続されている状態で、その接続手段に接続されている携帯端末と機能ユニットとの間で電力伝送手段を通じて電力を伝送可能に構成したので、従来のものとは異なって、単に携帯端末を保持するという機能に加えて、携帯端末と機能ユニットとの間で電力を伝送するという機能を付加価値として持たせることにより、携帯端末と機能ユニットとの間で所望の電力を伝送させることができ、利便性を向上させることができる。
【００１９】
請求項１０に記載した携帯端末用保持具によれば、機能ユニットに電池を備え、電池に蓄積されている電力が電力伝送手段を通じて接続手段に接続されている携帯端末に伝送可能に構成したので、携帯端末が駆動電力として使用する電力を携帯端末の外部に確保しておくことができると共に、携帯端末用保持具から携帯端末に給電することができる。しかも、携帯端末に電池を装着する必要もないので、携帯端末において電池の装着スペースを省略することができ、携帯端末の小型化および軽量化を図ることができる。
【００２０】
請求項１１に記載した携帯端末用保持具によれば、機能ユニットがＲＦタグを備え、そのＲＦタグが電池から供給された電力を駆動電力として動作するように構成したので、ＲＦタグの送信電力を高めることができ、ＲＦタグが通信可能な距離を拡大することができ、利便性をより向上させることができる。
【００２１】
請求項１２に記載した携帯端末用保持具によれば、商用電源に対して着脱可能な商用電源コンセントを備え、機能ユニットに整流回路を備え、商用電源から商用電源コンセントを通じて供給された電力が整流回路で整流されて電力伝送手段を通じて接続手段に接続されている携帯端末に伝送可能に構成したので、携帯端末用保持具を携帯端末の充電器として動作させることができる。
【００２２】
請求項１３に記載した携帯端末用保持具を用いたデータ伝送システムによれば、上記した請求項１に記載したように、携帯端末用保持具と携帯端末との間で所望のデータを伝送させることができ、利便性を向上させることができる。
【００２３】
請求項１４に記載した携帯端末用保持具を用いたデータ伝送システムによれば、携帯端末用保持具と携帯電話機との間で所望のデータを伝送させることができ、携帯電話機が通信機能を必然的に備えており、近年では、携帯電話機が通信機能を用いて大容量のデータを処理可能であることを鑑みると、その利点を十分に活用することができる。
【００２４】
請求項１５に記載した携帯端末用保持具を用いた電力伝送システムによれば、上記した請求項９に記載したように、携帯端末用保持具と携帯端末との間で所望の電力を伝送させることができ、利便性を向上させることができる。
【００２５】
請求項１６に記載した携帯端末用保持具を用いた電力伝送システムによれば、携帯端末用保持具と携帯電話機との間で所望の電力を伝送させることができ、携帯電話機が通信機能を必然的に備えており、携帯電話機が通信動作を行うときに消費電力が大きいことを鑑みると、その利点を十分に活用することができる。
【００２６】
【発明の実施の形態】
（第１実施例）
以下、本発明を、携帯電話機を手に掛けて保持するように構成された携帯電話機用ストラップに適用した第１実施例について、図１ないし図９を参照して説明する。まず、図１は、携帯電話機用ストラップ（以下、ストラップと称する）および携帯電話機の外観図を示している。ストラップ１は、手掛け部２と携帯電話機接続部３とが機能ユニット４を挟んだ格好で構成されている。手掛け部２は、例えば複数の糸が織込まれた繊維５から構成されているもので、人体の手に掛け易いように環が形成されて構成されている。
【００２７】
携帯電話機接続部３は、例えば銅線や光ファイバーからなるデータ線６（本発明でいうデータ伝送手段）、例えば銅線からなる電力線７（本発明でいう電力伝送手段）および紐８が一体となって構成されている。データ線６および電力線７の端部には、携帯電話機９の上部に配設されている外部接続端子１０に着脱可能な接続コネクタ１１（本発明でいう接続手段）が配設されている。また、紐８は、携帯電話機９の上部に形成されている引掛け部１２に引掛け易いように環が形成されて構成されている。
【００２８】
このような構成では、ユーザは、紐８を携帯電話機９の引掛け部１２に引掛けると共に、接続コネクタ１１を携帯電話機９の外部接続端子１０に装着することにより、ストラップ１を携帯電話機９に正常な取付方法で取付けることができる。尚、ストラップ１が携帯電話機９に正常に取付けられた状態では、紐８が伸張されたときに、データ線６および電力線７が弛む（余裕がある）ようになっており、ユーザがストラップ１を手に持った状態で、携帯電話機９の自重による大部分の応力が紐８に作用すると共に、携帯電話機９の自重による応力がデータ線６や電力線７に作用しないか、または、携帯電話機９の自重による応力がデータ線６や電力線７に作用したとしても、その応力が僅かとなるように構成されている。また、データ線６は、一連のデータ転送を所定のデータ転送規格に準じて行うのに必要な制御データ線、送信データ線、受信データ線およびグランド線などを備えて構成されている。
【００２９】
蓋１３は、ストラップ１が携帯電話機９に取付けられないときに外部接続端子１０を塞ぐものであり、塵埃が外部接続端子１０を通じて携帯電話機９の内部に侵入するのを防止するために用意されている。そして、機能ユニット４は、直方体状の筐体１４の内部に、各種の電子部品を備えて構成されている。
【００３０】
図２は、上記したストラップ１、特には機能ユニット４および携帯電話機９の電気的な構成を機能ブロック図として示している。機能ユニット４は、ＲＦタグ１５、半導体メモリ１６（本発明でいうデータ記憶手段）、センサ１７、安定化回路１８および電池１９を備えて構成されている。
【００３１】
ＲＦタグ１５は、内部アンテナ２０、外部アンテナ２１、送受信回路２２およびメモリ２３を備えて構成されており、外部に配設されているＲＦタグ読取書込装置（図示せず）との間で、電磁結合方式、静電結合方式あるいは電磁誘導方式などの各種の伝送方式によりデータを通信可能に構成されている。また、携帯電話機９からデータ線６を通じて伝送されたデータがＲＦタグ１５に書込可能であると共に、ＲＦタグ１５から読出されたデータがデータ線６を通じて携帯電話機９に伝送可能に構成されている。
【００３２】
外部アンテナ２１は、図１にも示すように、例えば銅線により構成されており、手掛け部２の繊維５に一体化されて機能ユニット４の筐体１４から引出されている。内部アンテナ２０と外部アンテナ２１とは、送受信回路２２に並列に接続されており、外部アンテナ２１を用いたデータ通信では、外部アンテナ２１が内部アンテナ２０よりもアンテナ素子として作用する部分が大きく形成されている分、内部アンテナ２０を用いたデータ通信よりも、通信距離を大きく確保することが可能となっている。
【００３３】
半導体メモリ１６は、携帯電話機９が表示する文字の文字データ、携帯電話機９が表示する画像（静止画や動画）の画像データ、携帯電話機９が出力する音楽の音楽データ、携帯電話機９のＣＰＵ２４が実行する制御プログラムやアプリケーションプログラムのプログラムデータなどを記憶可能に構成されており、携帯電話機９からデータ線６を通じて伝送されたデータが半導体メモリ１６に書込可能であると共に、半導体メモリ１６から読出されたデータがデータ線６を通じて携帯電話機９に伝送可能に構成されている。
【００３４】
センサ１７は、例えば脈拍を計測する脈拍センサ、体温を計測する体温センサ、ＧＰＳ電波を受信して現在位置を取得するＧＰＳセンサ、高度を計測する高度センサ、温度を計測する温度センサ、湿度を計測する湿度センサなどから構成されており、センサ１７により計測されたデータがデータ線６を通じて携帯電話機９に伝送可能に構成されている。
【００３５】
安定化回路１８は、電池１９から供給された電力を安定化させ、安定化された電力をＲＦタグ１５、半導体メモリ１６およびセンサ１７に供給可能であると共に、安定化された電力を電力線７を通じて携帯電話機９に供給可能に構成されている。ＲＦタグ１５、半導体メモリ１６およびセンサ１７は、電池１９から安定化回路１８を通じて供給される電力を駆動電力として動作可能に構成されている。また、携帯電話機９は、自身に装着されているバッテリ３１から供給される電力を駆動電力として動作可能であるのに加えて、機能ユニット４の電池１９から電力線７を通じて供給される電力を駆動電力としても動作可能に構成されている。
【００３６】
携帯電話機９は、ＣＰＵ２４の他に、ネットワークとの間の無線通信を制御するＲＦ回路２５、送話音声を入力するマイクロホン２６、受話音声を出力するレシーバ２７、文字や画像を表示する液晶ディスプレイ２８、「通話開始」キー、「通話終了」キー、「数字」キーなどの各種のキーが配列されてなるキーパッド２９、データを記憶するメモリ３０および携帯電話機９の駆動電力となる電力を蓄積するバッテリ３１を備えて構成されている。
【００３７】
次に、上記した構成の作用について、図３ないし図９を参照して説明する。ここでは、ストラップ１を利用したアプリケーションの幾つかの例として、
（１）携帯電話機９をリサイクルするのに必要なリサイクルデータを機能ユニッ
ト４のＲＦタグ１５に書込む処理
（２）機能ユニット４の半導体メモリ１６と携帯電話機９との間でデータを転送
する処理
（３）機能ユニット４のセンサ１７を利用して携帯電話機９に地図を表示させる
処理
（４）ユーザが鉄道を利用するときに必要な乗車券データを機能ユニット４のＲ
Ｆタグ１５に書込む処理
の各々について、順次説明する。
【００３８】
（１）携帯電話機９をリサイクルするのに必要なリサイクルデータを機能ユニット４のＲＦタグ１５に書込む処理
まず、「携帯電話機９をリサイクルするのに必要なリサイクルデータを機能ユニット４のＲＦタグ１５に書込む処理」について、図３を参照して説明する。
【００３９】
携帯電話機９において、ＣＰＵ２４は、携帯電話機９の電源が投入された旨を検出すると（ステップＳ１にて「ＹＥＳ」）、機能ユニット４の種別を識別する（ステップＳ２）。ここで、ＣＰＵ２４は、機能ユニット４がＲＦタグ１５を備えている構成である旨を検出すると（ステップＳ３にて「ＹＥＳ」）、リサイクルデータがメモリ３０に記憶されているか否かを識別する（ステップＳ４）。この場合、リサイクルデータとは、例えば型式、製造番号および稼動期間などである。
【００４０】
そして、ＣＰＵ２４は、リサイクルデータがメモリ３０に記憶されている旨を検出すると（ステップＳ４にて「ＹＥＳ」）、メモリ３０からリサイクルデータを読出し（ステップＳ５）、読出されたリサイクルデータを外部接続端子１０からデータ線６を通じて機能ユニット４のＲＦタグ１５に転送させて書込む（ステップＳ６）。
【００４１】
以上に説明した一連の処理により、携帯電話機９のメモリ３０に記憶されているリサイクルデータを機能ユニット４のＲＦタグ１５に転送させて書込むことが可能となる。
【００４２】
（２）機能ユニット４の半導体メモリ１６と携帯電話機９との間でデータを転送
する処理
次に、「機能ユニット４の半導体メモリ１６と携帯電話機９との間でデータを転送する処理」について、図４を参照して説明する。
【００４３】
携帯電話機９において、ＣＰＵ２４は、携帯電話機９から機能ユニット４の半導体メモリ１６へデータを転送させるためのトリガを検出すると（ステップＳ１１にて「ＹＥＳ」）、指定されたデータを外部接続端子１０からデータ線６を通じて機能ユニット４の半導体メモリ１６に転送させて書込む（ステップＳ１２）。この場合、携帯電話機９から機能ユニット４へデータを転送させるためのトリガとは、例えばユーザによる所定操作やタイマのタイムアップなどである。また、この場合、ＣＰＵ２４は、携帯電話機９のメモリ３０に予め記憶されているデータを外部接続端子１０からデータ線６を通じて半導体メモリ１６に転送させても良いし、特定のＷＥＢサイトからネットワークを通じて携帯電話機９にダウンロードされたデータを外部接続端子１０からデータ線６を通じて機能ユニット４の半導体メモリ１６に転送させても良い。
【００４４】
また、ＣＰＵ２４は、機能ユニット４の半導体メモリ１６から携帯電話機９へデータを転送させるためのトリガを検出すると（ステップＳ１３にて「ＹＥＳ」）、指定されたデータを半導体メモリ１６から読出し、読出されたデータをデータ線６を通じてメモリ３０に転送させて書込む（ステップＳ１４）。この場合、機能ユニット４から携帯電話機９へデータを転送させるためのトリガとは、例えばユーザによる所定操作やタイマのタイムアップなどである。
【００４５】
以上に説明した一連の処理により、携帯電話機９から機能ユニット４の半導体メモリ１６へデータを転送させて書込むことが可能となり、また、機能ユニット４の半導体メモリ１６から携帯電話機９へデータを転送させて書込むことが可能となる。
【００４６】
（３）機能ユニット４のセンサ１７を利用して携帯電話機９に地図を表示させる
処理
次に、「機能ユニット４のセンサ１７を利用して携帯電話機９に地図を表示させる処理」について、図５および図６を参照して説明する。尚、ここでは、センサ１７がＧＰＳセンサであることを前提として説明する。
【００４７】
携帯電話機９において、ＣＰＵ２４は、地図を表示させるためのトリガを検出すると（ステップＳ２１にて「ＹＥＳ」）、機能ユニット４のＧＰＳセンサ１７に現在位置を取得させる（ステップＳ２２）。この場合、地図を表示させるためのトリガとは、例えばユーザによる所定操作やタイマのタイムアップなどである。次いで、ＣＰＵ２４は、ＲＦ回路２５を地図提供会社３２のＷＥＢサイト３３に接続させる（ステップＳ２３）。
【００４８】
ＣＰＵ２４は、地図提供会社３２のＷＥＢサイト３３から地図表示のメニュー画面データがネットワーク３４（携帯電話網３５やインターネット３６）を通じてダウンロードされると、地図表示のメニュー画面を液晶ディスプレイ２８に表示させ（ステップＳ２４）、「地図送信ボタン」が操作されるのを待機する（ステップＳ２５）。次いで、ＣＰＵ２４は、「地図送信ボタン」が操作された旨を検出すると（ステップＳ２５にて「ＹＥＳ」）、送信確認画面を液晶ディスプレイ２８に表示させ（ステップＳ２６）、「送信確認ボタン」が操作されるのを待機する（ステップＳ２７）。
【００４９】
ＣＰＵ２４は、「送信確認ボタン」が操作された旨を検出すると（ステップＳ２７にて「ＹＥＳ」）、ＧＰＳセンサ１７により取得された現在位置の現在位置データをＲＦ回路２５からネットワーク３４を通じて地図提供会社３２のＷＥＢサイト３３にアップロードさせ（ステップＳ２８）、地図提供会社３２のＷＥＢサイト３３からネットワーク３４を通じて地図データがダウンロードされるのを待機する（ステップＳ２９）。
【００５０】
そして、ＣＰＵ２４は、地図提供会社３２のＷＥＢサイト３３からネットワーク３４を通じて地図データがダウンロードされた旨を検出すると（ステップＳ２９にて「ＹＥＳ」）、ダウンロードされた地図データの地図を液晶ディスプレイ２８に表示させる（ステップＳ３０）。
【００５１】
以上に説明した一連の処理により、機能ユニット４のＧＰＳセンサ１７により取得された現在位置に対応する地図を携帯電話機９に表示させることが可能である。尚、上記した説明において、「地図送信ボタン」や「送信確認ボタン」は、キーパッド２９における特定のキーや特定の複数のキーが組合されて構成されるものである。
【００５２】
（４）ユーザが鉄道を利用するときに必要な乗車券データを機能ユニット４のＲ
Ｆタグ１５に書込む処理
次に、「ユーザが鉄道を利用するときに必要な乗車券データを機能ユニット４のＲＦタグ１５に書込む処理」について、図７および図８を参照して説明する。
【００５３】
携帯電話機９において、ＣＰＵ２４は、切符を購入するためのトリガを検出すると（ステップＳ３１にて「ＹＥＳ」）、ＲＦ回路２５を鉄道会社３７のＷＥＢサイト３８に接続させる（ステップＳ３２）。この場合、切符を購入するためのトリガとは、例えばユーザによる所定操作などである。次いで、ＣＰＵ２４は、鉄道会社３７のＷＥＢサイト３８から切符購入のメニュー画面データがネットワーク３４を通じてダウンロードされると、切符購入のメニュー画面を液晶ディスプレイ２８に表示させ（ステップＳ３３）、「乗車駅」や「下車駅」が選択されるのを待機する（ステップＳ３４）。
【００５４】
ＣＰＵ２４は、「乗車駅」や「下車駅」が選択された旨を検出すると（ステップＳ３４にて「ＹＥＳ」）、切符購入確認画面を液晶ディスプレイ２８に表示させ（ステップＳ３５）、「送信確認ボタン」が操作されるのを待機する（ステップＳ３６）。次いで、ＣＰＵ２４は、「送信確認ボタン」が操作された旨を検出すると（ステップＳ３６にて「ＹＥＳ」）、選択された「乗車駅」や「下車駅」に関する切符購入データをＲＦ回路２５からネットワーク３４を通じて鉄道会社３７のＷＥＢサイト３８にアップロードさせ（ステップＳ３７）、鉄道会社３７のＷＥＢサイト３８からネットワーク３４を通じて乗車券データがダウンロードされるのを待機する（ステップＳ３８）。
【００５５】
ＣＰＵ２４は、鉄道会社３７のＷＥＢサイト３８からネットワーク３４を通じて乗車券データがダウンロードされた旨を検出すると（ステップＳ３８にて「ＹＥＳ」）、ダウンロードされた乗車券データの乗車券画面を液晶ディスプレイ２８に表示させ（ステップＳ３９）、「購入確認ボタン」が操作されるのを待機する（ステップＳ４０）。そして、ＣＰＵ２４は、「購入確認ボタン」が操作された旨を検出すると（ステップＳ４０にて「ＹＥＳ」）、ダウンロードされた乗車券データを外部接続端子１０からデータ線６を通じて機能ユニット４のＲＦタグ１５に転送させて書込む（ステップＳ４１）。尚、上記した説明において、「送信確認ボタン」や「購入確認ボタン」は、キーパッド２９における特定のキーや特定の複数のキーが組合されて構成されるものである。
【００５６】
以上に説明した一連の処理により、鉄道会社３７のＷＥＢサイト３８からユーザが鉄道を利用するときに必要な乗車券データをダウンロードさせて機能ユニット４のＲＦタグ１５に転送させて書込むことが可能となる。そして、これ以降、ユーザは、実際に鉄道を利用するときには、ストラップ１のＲＦタグ１５に記憶されている乗車券データを改札口３９のＲＦタグ読取書込装置４０に読取らせることにより、ストラップ１を用いて速やかに乗車手続きを行うことができる。
【００５７】
また、個人で切符を購入する場合に限らず、団体で回数券を購入する場合に適用することもでき、その場合、鉄道会社３７のＷＥＢサイト３８からダウンロードされた回数券データをストラップ１のＲＦタグ１５に記憶させた後、ストラップ１を付替えることにより、団体で回数券を使用することもできる。尚、このようにして切符や回数券を購入する場合、例えば電子決済システムを用いて代金を支払うことになる。
【００５８】
ところで、以上は、ストラップ１がデータ線６および電力線７を備えた構成を説明したものであるが、ストラップ１がデータ線６および電力線７のうちいずれかを要求される機能に応じて選択的に備えた構成であっても良い。また、以上は、機能ユニット４がＲＦタグ１５、半導体メモリ１６およびセンサ１７を備えた構成を説明したものであるが、機能ユニット４がＲＦタグ１５、半導体メモリ１６およびセンサ１７のうち少なくとも１つを要求される機能に応じて選択的に備えた構成であっても良い。
【００５９】
また、以上は、ストラップ１が１個の機能ユニット４を備えた構成を説明したものであるが、図９に示すように、ストラップ４１が複数（図９では４個）の機能ユニット４２〜４５を備えた構成であっても良い。この場合、複数の機能ユニット４２〜４５にＲＦタグ１５、半導体メモリ１６およびセンサ１７などが分散されて配設される構成であっても良いし、また、それら複数の機能ユニット４２〜４５に電池１９を備える構成であっても良く、複数の機能ユニット４２〜４５に電池１９を備える構成では、ストラップ４１が蓄積可能な電力を増大させることができる。
【００６０】
以上に説明したように第１実施例によれば、ストラップ１において、携帯電話機９と機能ユニット４との間でデータ線６や電力線７を通じてデータや電力を伝送可能に構成したので、単に携帯電話機９を保持するという機能に加えて、携帯電話機９と機能ユニット４との間でデータや電力を伝送するという機能を付加価値として持たせることにより、携帯電話機９と機能ユニット４との間で所望のデータや所望の電力を伝送させることができ、利便性を向上させることができる。
【００６１】
また、データ線６を銅線により構成すれば、単に携帯電話機９と機能ユニット４との間でデータ線６を通じてデータを伝送させるのみならず、必要に応じて、携帯電話機９と機能ユニット４との間でデータ線６を通じて電力をも伝送させることができる。また、データ線６を光ファイバーにより構成すれば、光ファイバーの特長を活かして、携帯電話機９と機能ユニット４との間でデータを高速且つ正確に伝送させることができる。
【００６２】
また、携帯電話機９からデータ線６を通じて伝送されたデータがＲＦタグ１５に書込可能であると共に、ＲＦタグ１５から読出されたデータがデータ線６を通じて携帯電話機９に伝送可能に構成したので、携帯電話機９に記憶されている所望のデータをＲＦタグ１５に転送させて記憶させることができると共に、ＲＦタグ１５に記憶されている所望のデータを携帯電話機９に転送させて記憶させることができる。
【００６３】
また、ＲＦタグ１５を携帯電話機９に内蔵するのではなく、ＲＦタグ１５を携帯電話機９とは別体の機能ユニット４に備えて構成したので、携帯電話機９の筐体が金属製であっても、その筐体が金属製であることに因る通信への悪影響を極力抑えることができる。しかも、ＲＦタグ１５を携帯電話機９に実装する必要もないので、携帯電話機９においてＲＦタグ１５の実装スペースを省略することができ、携帯電話機９の小型化および軽量化をも図ることができる。
【００６４】
また、携帯電話機９からデータ線６を通じて伝送されたデータが半導体メモリ１６に書込可能であると共に、半導体メモリ１６から読出されたデータがデータ線６を通じて携帯電話機９に伝送可能に構成したので、携帯電話機９に記憶されている所望のデータを半導体メモリ１６に転送させて記憶させることができると共に、半導体メモリ１６に記憶されている所望のデータを携帯電話機９に転送させて記憶させることができる。
【００６５】
また、センサ１７により計測されたデータがデータ線６を通じて携帯電話機９に伝送可能に構成したので、センサ１７により計測されたデータを携帯電話機９に転送させて記憶させたり、出力させたりすることができる。
【００６６】
また、電池１９に蓄積されている電力が電力線７を通じて携帯電話機９に伝送可能に構成したので、携帯電話機９が駆動電力として使用する電力を携帯電話機９の外部に確保しておくことができると共に、ストラップ１から携帯電話機９に給電することができる。しかも、携帯電話機９に電池を装着する必要もないので、携帯電話機９において電池の装着スペースを省略することができ、携帯電話機９の小型化および軽量化を図ることができる。
【００６７】
（第２実施例）
次に、本発明の第２実施例について、図１０および図１１を参照して説明する。尚、上記した第１実施例と同一部分については説明を省略し、異なる部分について説明する。上記した第１実施例は、機能ユニット４が電池１９を備えて構成したものであるが、これに対して、この第２実施例は、機能ユニットが商用電源から商用電源コンセントを通じて供給された電力を整流する整流回路を備えて構成したものである。
【００６８】
すなわち、ストラップ５１は、手掛け部５２に商用電源５３に対して装着可能な商用電源コンセント５４が配設されて構成されている。また、機能ユニット５５は、上記した第１実施例で説明した電池１９に代えて、商用電源５３から商用電源コンセント５４を通じて供給された電力を整流する整流回路５６を備えて構成されている。
【００６９】
安定化回路５７は、整流回路５６により整流された電力を安定化させ、安定化された電力をＲＦタグ１５、半導体メモリ１６およびセンサ１７に供給可能であると共に、安定化された電力を電力線７を通じて携帯電話機９に供給可能に構成されている。ＲＦタグ１５、半導体メモリ１６およびセンサ１７は、商用電源５３から安定化回路５７を通じて供給される電力を駆動電力として動作可能に構成されている。また、携帯電話機９は、自身に装着されているバッテリ３１から供給される電力を駆動電力として動作可能であるのに加えて、商用電力が整流されてデータ線７を通じて供給される電力を駆動電力としても動作可能に構成されている。
【００７０】
尚、商用電源コンセント５４は、端子５４ａ，５４ｂが回動することにより収納可能に構成され（図１０では収納された状態を破線で示している）、ストラップ５１の携帯性を損なわないように構成されている。また、この場合、外部アンテナ２１と共に、商用電力を伝送するための電力線５８も、手掛け部２の繊維５に一体化されている。
【００７１】
以上に説明したように第２実施例によれば、上記した第１実施例に記載したものと同様の作用効果を得ることができ、特に、この場合は、商用電源５３から商用電源コンセント５４を通じて供給された電力が整流回路５６で整流されて電力線７を通じて携帯電話機９に伝送可能に構成したので、ストラップ５１を携帯電話機９の充電器として動作させることもできる。
【００７２】
（その他の実施例）
本発明は、上記した実施例にのみ限定されるものではなく、以下のように変形または拡張することができる。
携帯端末は、携帯電話機に限らず、デジタルカメラや音楽再生機器や録音機器などの他のものであって良い。
第１実施例と第２実施例とを組合わせた構成、つまり、機能ユニットが電池と整流回路とを同時に備えた構成であっても良い。
機能ユニットに電圧を変換する電圧回路を備えた構成であっても良く、そのように構成すれば、外国でも使用することができる。
【００７３】
機能ユニットの位置が調節可能な構成であっても良く、そのように構成すれば、機能ユニットが例えば脈拍センサや体温センサなどの身体に関するデータを計測するセンサを備えている場合に、機能ユニットを身体の適切な箇所に容易に置くことができ、測定を容易に行うことができると共に、精度の高い測定を行うことができる。
ストラップのような人体の手や首に掛ける構成に限らず、携帯端末がベルトなどにより人体の腕に装着可能な腕時計タイプのものに対応するように、ベルトに装着可能な構成であっても良い。
【図面の簡単な説明】
【図１】本発明の第１実施例を概略的に示す図
【図２】機能ユニットおよび携帯電話機の機能ブロック図
【図３】携帯電話機からＲＦタグにリサイクルデータが転送されて書込まれる処理を示すフローチャート
【図４】携帯電話機と半導体メモリとの間でデータが転送されて書込まれる処理を示すフローチャート
【図５】携帯電話機が地図を表示する処理を示すフローチャート
【図６】システムの構成を概略的に示す図
【図７】携帯電話機からＲＦタグに乗車券データが転送されて書込まれる処理を示すフローチャート
【図８】図６相当図
【図９】複数の機能ユニットが配設された態様を概略的に示す図
【図１０】本発明の第２実施例を概略的に示す図
【図１１】図２相当図
【符号の説明】
図面中、１は携帯電話機用ストラップ（携帯端末用保持具）、４は機能ユニット、６はデータ線（データ伝送手段）、７は電力線（電力伝送手段）、９は携帯電話機（携帯端末）、１０は外部接続端子、１１は接続コネクタ（接続手段）、１５はＲＦタグ、１６は半導体メモリ（データ記憶手段）、１７はセンサ、１９は電池、２１は外部アンテナ、４１は携帯電話機用ストラップ（携帯端末用保持具）、４２〜４５は機能ユニット、５１は携帯電話機用ストラップ（携帯端末用保持具）、５３は商用電源、５４は商用電源コンセント、５５は機能ユニット、５６は整流回路である。
【図１】
2004248733.tif 000003
【図２】
2004248733.tif 000004
【図３】
2004248733.tif 000005
【図４】
2004248733.tif 000006
【図５】
2004248733.tif 000007
【図６】
2004248733.tif 000008
【図７】
2004248733.tif 000009
【図８】
2004248733.tif 000010
【図９】
2004248733.tif 000011
【図１０】
2004248733.tif 000012
【図１１】
2004248733.tif 000013